(57)【特許請求の範囲】
【請求項１】
エレベータ昇降路内に取り付けられた着床プレートを支持するエレベータ着床プレート支持装置であって、
一端部が着床プレートに固着され、他端部が着床プレートから延びてエレベータかごの昇降方向に平行な軸心を持つ軸部材と、
エレベータ昇降路内に固着され、上記軸部材の軸端部を受け入れる空間部分を持ち、上記軸端部を上記軸心まわりに回動可能に支持する受金部材と、
上記軸部材と上記受金部材とを相対的に弾性的に互いに押圧させる押圧手段と、
互いに押圧された上記軸部材および上記受金部材間に設けられ、カム面およびこのカム面に弾性的に押圧された押圧面を有し、上記軸部材を上記受金部材に対して少なくとも２つの所定位置に選択的に弾性的に保持する弾性的保持手段と
を備えたことを特徴とするエレベータ着床プレート支持装置。
【請求項２】
上記カム面が、上記軸端部の外周に設けられ、上記軸心に平行で互いにほぼ直角な関係にあり、すくなくとも２つの谷部と、これら谷部間で上記軸部材を上記谷部に案内する山部とを有し、上記押圧面が、上記受金部材の上記空間部分の内周面に設けられ、上記軸端部の上記カム面の上記谷部に選択的に弾性係合することを特徴とする請求項１に記載のエレベータ着床プレート支持装置。
【請求項３】
上記軸端部がほぼ四角柱であり、上記受金部材の上記押圧面がほぼ平坦な対向面を持つことを特徴とする請求項２に記載のエレベータ着床プレート支持装置。
【請求項４】
上記押圧手段が、上記受金部材の弾性であることを特徴とする請求項１〜３のいずれか一項に記載のエレベータ着床プレート支持装置。
【請求項５】
上記カム面が上記受金部材の軸方向端面に設けられ、上記押圧手段が、上記軸部材を上記受金部材の上記カム面に押圧することを特徴とする請求項１に記載のエレベータ着床プレート支持装置。
【請求項６】
上記カム面が、上記軸端部の上記軸心を中心として、少なくとも２つの谷部と、これら谷部間で上記軸部材を上記谷部に案内する山部とを有し、
上記押圧面が、上記軸端部を支持する上記軸部材の外周面に設けられ、上記受金部材の上記カム面の上記谷部に選択的に弾性係合することを特徴とする請求項１に記載のエレベータ着床プレート支持装置。
【請求項７】
上記カム面が上記受金部材の両外側端面に設けられていることを特徴とする請求項５あるいは６に記載のエレベータ着床プレート支持装置。
【請求項８】
上記カム面が上記受金部材の内側端面に設けられていることを特徴とする請求項５あるいは６に記載のエレベータ着床プレート支持装置。
【請求項９】
上記押圧手段が上記軸部材自体の弾性であることを特徴とする請求項５〜８のいずれか一項に記載のエレベータ着床プレート支持装置。
【請求項１０】
上記押圧手段が上記軸部材に接続された引っ張り弾性体であることを特徴とする請求項５〜７のいずれか一項に記載のエレベータ着床プレート支持装置。
【請求項１１】
上記押圧手段が上記軸部材に設けられて互いに吸引し合う磁石であることを特徴とする請求項５〜７のいずれか一項に記載のエレベータ着床プレート支持装置。
【発明の詳細な説明】
【技術分野】
【０００１】
本発明はエレベータ着床プレート支持装置に関するものであり、特に着床プレート等の昇降路機器を昇降路内に取付けるエレベータ着床プレート支持装置に関するものである。
【背景技術】
【０００２】
従来、着床プレート等の昇降路内に取り付けられる機器は昇降路内にボルト結合、クリップあるいはブラケット等により固着されていた。特に着床プレートはガイドレール等に取り付けられて、かごに取り付けられた着床装置によって検出されてかごの正確な着床のために利用されるものであるため、昇降路内に突出していて着床装置に近接して配置されている。
【０００３】
このようなエレベータにおいて、長周期地震や強風により建物に長周期の揺れが発生すると、主ロープ等の長尺物が共振して大きく振れ、昇降路内の壁面付近に設置されている着床プレート等の昇降路内機器に衝突して損傷や変形を与えることがある。着床プレートは、昇降路内に突出した板状部材であるので、このような変形が起こりやすく、変形したままでエレベータを運転すると、変形した着床プレートが着床装置に衝突して新たな損傷を起こし、被害が拡大する。
【０００４】
特許文献１には、着床プレートにこのような変形が起こった場合に、着床プレートと着床装置との衝突を検出スイッチにより検出してエレベータの運転を停止させるエレベータの昇降路装置が提案されている。
【０００５】
【特許文献１】特開平６−２５５９０９号公報
【発明の開示】
【発明が解決しようとする課題】
【０００６】
このような従来のエレベータの昇降路装置においては、着床プレートの変形は、着床プレートが着床装置と衝突して検出スイッチが作動するまで発見できない。このため、着床装置が損傷を受けたり、かごの移動中に着床プレートが他の昇降路内機器に衝突したりすることが起こる。
【０００７】
また着床プレートの変形が検出スイッチを作動させるほどには大きくなく、検出されない場合には、エレベータは着床プレートが変形したまま運転されることになり、その後の運転中の衝突あるいは着床装置の不正確動作などの不都合な事象の原因となることがある。
【０００８】
従ってこの発明の目的は、昇降路内に突出して取り付けられる着床プレートを支持し、主ロープ等が衝突したときに弾性的に変形して衝撃を吸収して元の位置に復帰するかあるいは着床装置の移動経路の外にまで変形してその位置に弾性的に保持され、その後他のエレベータ昇降路内機器と衝突することがないようにするエレベータ着床プレート支持装置を提供することである。
【課題を解決するための手段】
【０００９】
この発明によれば、エレベータ昇降路内に取り付けられた着床プレートを支持するエレベータ着床プレート支持装置であって、一端部が着床プレートに固着され、他端部が着床プレートから延びてエレベータかごの昇降方向に平行な軸心を持つ軸部材と、エレベータ昇降路内に固着され、上記軸部材の軸端部を受け入れる空間部分を持ち、上記軸端部を上記軸心まわりに回動可能に支持する受金部材と、上記軸部材と上記受金部材とを相対的に弾性的に互いに押圧させる押圧手段と、互いに押圧された上記軸部材および上記受金部材間に設けられ、カム面およびこのカム面に弾性的に押圧された押圧面を有し、上記軸部材を上記受金部材に対して少なくとも２つの所定位置に選択的に弾性的に保持する弾性的保持手段とを備えたことを特徴とするエレベータ着床プレート支持装置が得られる。
【発明の効果】
【００１０】
この発明のエレベータ着床プレート支持装置によれば、主ロープ等が衝突したときに弾性的に変形して衝撃を吸収して元の位置に復帰するかあるいは着床装置の移動経路の外にまで変形してその位置に弾性的に保持され、その後着床装置や他のエレベータ昇降路内機器と衝突することがないようにできるという効果が得られる。
【発明を実施するための最良の形態】
【００１１】
実施の形態１．
図１〜図３にはこの発明のエレベータ着床プレート支持装置の一実施形態を示し、図１はこの発明のエレベータ着床プレート支持装置を用いて支持された着床プレートと着床装置との正常運転状態での関係を示す概略頂面図であり、図２は図１に示すエレベータ着床プレート支持装置により着床プレートを支持した状態を示す概略平面展開図であり、図３は非正常運転状態での着床プレートと着床装置との関係を示す図１と同様の概略頂面図である。
【００１２】
図１〜図３において、エレベータの昇降路内を昇降するかご１には、かご１の乗場床に対する位置を検出するための着床装置２が設けられている。着床装置２には凹部３が設けられていて、この凹部３には案内レール（図示してない）等によって支持された支持ブラケット４にエレベータ着床プレート支持装置５によって取り付けられた着床プレート６が通過できるようにされている。凹部３に着床プレート６が入ったとき、着床装置２によって検出されて信号が発信されるのである。
【００１３】
エレベータ着床プレート支持装置５は、一端部が着床プレート６に固着金具７によって固着され、他端部が着床プレート６から延びてエレベータかご１の昇降方向に平行な軸心８を持つ軸端部９を有する軸部材１０を備えている。図示の例では軸部材１０は一辺の一部が開いたロ字の形に折り曲げられた弾性ロッド状部材である。
【００１４】
エレベータ着床プレート支持装置５はまた、エレベータ昇降路内で支持ブラケット４に固着され、軸部材１０の軸端部９を受け入れる空間部分１１を持ち、着床プレート６を軸心８まわりに回動可能に支持する受金部材１２を備えている。受金部材１２は矩形の金属板の一辺を折り返して、図１の円Ａで囲んだ部分の拡大図に示すように内部に空間部分１１を持つ筒状部分１３を持ち、その他の部分は平板状でビス１４等の適当な手段により支持ブラケット４に固着されている。
【００１５】
受金部材１２の筒状部分１３は、折り曲げられた金属板自体の弾性によって、筒状部分１３内に挿入された軸部材１０の軸端部９の周面を押圧していて、この発明のエレベータ着床プレート支持装置の軸部材１０の軸端部９と受金部材１２とを相対的に弾性的に互いに押圧させる押圧手段を構成している。
【００１６】
エレベータ着床プレート支持装置は更に、軸部材１０と受金部材１２との間に、カム面１５と、このカム面１５に弾性的に押圧された押圧面１６とで構成されて、軸部材１０を受金部材１２に対して少なくとも２つの所定位置に選択的に弾性的に保持する弾性的保持手段１７を備えている。
【００１７】
図１〜図３に示す例においては、カム面１５は、軸端部９の外周に設けられ、軸心８に平行で互いにほぼ直角な関係にあって、すくなくとも２つの谷部１８と、この谷部１８間で軸部材１０を谷部１８に案内する山部１９とを備えている。押圧面１６は、受金部材１２の空間部分１１の内周面に設けられ、軸端部９のカム面１５の谷部１８に選択的に弾性係合するものである。
【００１８】
より詳しく説明すれば、図１〜図３に示す例においては、軸部材１０の軸端部９が角が丸くされた四角柱に近い形であって、カム面１５を構成する四つの平面あるいは曲率半径の大きな円筒面の外周面を持っており、これら外周面は、軸心８に平行で互いにほぼ直角な関係にある。従って、軸端部９が軸心８回りに回動することから、軸心８を中心として外周面の各点までの距離の平均値を半径とする円Ｃを基準にして外周面で構成されたカム面１５の高さを考慮すると、この円Ｃの内側の外周面部分は谷部１８と考えることができ、この円の外側で谷部１８の間を連続的に滑らかに連結する丸い角部は山部１９と考えることができる。
【００１９】
受金部材１２の空間部分１１の内周面には、ほぼ平坦な２つの対向面が設けられていて、軸端部９の谷部１８あるいは山部１９である外周面で構成されたカム面１５に選択的に弾性係合する押圧面１６となっている。
【００２０】
この発明のエレベータ着床プレート支持装置５によって支持された着床プレート６は、正常状態では図１に示す位置にあり、エレベータの運転時に着床装置２に近接しているが接触することなく着床装置２の凹部３を通過して着床信号を発生させる。このときエレベータ着床プレート支持装置５の軸部材１０の軸端部９は、受金部材１２の押圧面１６によってカム面１５の谷部１８を押圧され、この位置に安定して弾性的に保持されている。
【００２１】
しかしながら、地震あるいは強風などによる建物の揺れに主ロープ等が共振して主ロープが着床プレート６に衝突すると、着床プレート６の受けた力がエレベータ着床プレート支持装置５の軸部材１０に伝えられ、軸端部９が受金部材１２の筒状部分１３内で軸心８回りに回動する。このとき、回動した軸端部９は受金部材１２の押圧面１６に接触していたカム面１５が谷部１８から山部１９に移動し、それに伴って筒状部分１３の押圧面１６を弾性力に抗して押し広げることになる。
【００２２】
軸端部９の回動が進んでカム面１５の山部１９が筒状部分１３の押圧面１６の弾性作用の死点を乗り越えると、筒状部分１３の弾性力は逆方向に作用して軸端部９の回動を促進させ、図１に示す正常位置から図３の実線あるいは破線で示す作動位置に回動させ、軸端部９はそこで再び押圧面１６により弾性的に安定して保持される。
【００２３】
このように、弾性的保持装置１７は、着床プレート６が図１の正常位置から例えば反時計方向に回動して図３の実線の作動位置に移動しようとする際には、軸端部９のカム面１５の山部１９が押圧面１６のばね作用線を乗り越えるまでは、軸端部９にその回動に抗する時計方向の回転モーメントを与え、山部１９が押圧面１６のばね作用線を越えた後では、軸端部９にその回動を促進する反時計方向の回転モーメントを与える。この回転モーメントにより軸端部９が更に回動すると、最初に押圧面１６に接触していた谷部１８の隣接の谷部（図１で下側の谷部１８）が受金部材１２の押圧面１６と平行になって押圧され、回転モーメントが作用しなくなって図３の実線で示す作動位置で停止する。この位置では軸端部９がいずれかの方向に回動すると、カム面１５の山部１９が押圧面１６に押圧されて回動方向に抗する回転モーメントが発生し、元の位置に戻され、結局谷部１８と押圧面１６とが平行になった位置に弾性的に保持される。
【００２４】
このように、この発明のエレベータ着床プレート支持装置５によって着床プレート６を支持すれば、着床プレート６は弾性的保持手段１７によって図１の正常位置あるいは図３の作動位置に選択的に保持され、所定値以上の外力が作用したときにそれぞれの位置から他の位置に移動してそこで保持され、それ以外の中間位置に留まることがない。
【００２５】
従って、図１に示すように、着床プレート６の配置を正常位置で着床装置２を作動できる位置に設定し、図３に示す作動位置では着床装置２を含むエレベータ昇降路内の機器と干渉しない位置となるように配置する。
【００２６】
また、着床プレート６は比較的小さな力によって作動位置に移動するので、主ロープなどと衝突しても着床プレート６自体が変形あるいは損傷してしまうことがない。
【００２７】
実施の形態２．
図４〜図６にはこの発明のエレベータ着床プレート支持装置の第２の実施の形態を示す。このエレベータ着床プレート支持装置においては、カム面２０が受金部材１２の筒状部分１３の軸方向端面に円環状に設けられ、軸部材１０の軸端部９を保持するネック部分が押圧面２１として、軸部材１０の材質の持つ弾性である押圧手段によって、カム面２０に対して押圧されている。
【００２８】
図５に示すように、軸部材１０は着床プレート６に固着されて軸心８を持つ軸端部９を持つように折り曲げた弾性を持つロッド状の部材であり、図４の受金部材１２の筒状部分１３に軸端部９を挿入したときに、軸端部９を支持するネック部分が筒状部分１３の端面に押圧されるように、曲げられている。
【００２９】
図６に示すように、カム面２０は、受金部材１２の筒状部分１３の端面に形成された円環状であって、軸端部９の軸心８を中心として、少なくとも２つの谷部１８と、これら谷部１８間で軸部材１０のネック部分である押圧面２１を谷部１８に案内する山部１９とを備えている。押圧面２１は、軸端部９を支持する軸部材１０のネック部分の外周面に設けられ、受金部材１２のカム面２０の谷部１８に選択的に弾性係合するものである。
【００３０】
図示の例ではカム面２０は、受金部材１２の筒状部分１３の両外側端面に設けられているが、いずれか一方の外側端面だけに設けることもできる。
【００３１】
この実施の形態においても、着床プレート６はエレベータ着床プレート支持装置５によって図１および図３に示すのと同様の正常位置あるいは作動位置に選択的に保持され、所定値以上の外力が作用したときにそれぞれの位置から他の位置に移動してそこで保持され、それ以外の中間位置に留まることがない。従って、着床プレート６の配置を正常位置で着床装置２を作動できる位置に設定し、作動位置では着床装置２を含むエレベータ昇降路内の機器と干渉しない位置となるように配置すれば、主ロープなどと衝突しても変形あるいは損傷してしまうことがなく、その後の衝突によって他の機器に損傷を与えることがない。
【００３２】
実施の形態３．
図７には更に別の実施の形態のエレベータ着床プレート支持装置の軸部材１０と受金部材１２とだけを示し、図８には軸部材１０だけを示してある。この例では、受金部材１２の端面に形成されるカム面２０が、互いに軸方向に離間して軸整列した２つの筒状部分２２の内側端面に設けられている。従って、このカム面２０に係合する軸部材１０のネック部周面に形成された押圧面２３は外側の周面となる。
【００３３】
図８に示すように、軸部材１０は外側に向かって延びた軸端部９を持つように折り曲げた弾性を持つロッド状の部材であり、図７の受金部材１２の筒状部分２２に軸端部９を挿入したときに、軸端部９を支持するネック部分が筒状部分２２の端面に設けられたカム面２０に押圧されるように、曲げられている。このカム面２０も図６に示すカム面２０と同様のもので良い。図示の例ではカム面２０は、受金部材１２の２つの筒状部分２２の両内側端面に設けられているが、いずれか一方の内側端面だけに設けることもできる。
【００３４】
この実施の形態においても、着床プレート６をエレベータ着床プレート支持装置５によって図１および図３に示すのと同様の正常位置あるいは作動位置に選択的に保持され、所定値以上の外力が作用したときにそれぞれの位置から他の位置に移動してそこで保持され、それ以外の中間位置に留まることがない。従って、着床プレート６の配置を正常位置で着床装置２を作動できる位置とし、作動位置では着床装置２を含むエレベータ昇降路内の機器と干渉しない位置となるように配置すれば、主ロープなどと衝突しても変形あるいは損傷してしまうことがなく、その後の衝突によって他の機器に損傷を与えることがない。
【００３５】
実施の形態４．
図９に示すエレベータ着床プレート支持装置においては、押圧手段が、軸部材１０の軸端部９間に接続されて、２つの軸端部９を互いに近づく方向に引っ張る引っ張り弾性体２４である。このような引っ張り弾性体２４は、ゴムひも、引っ張りばね等を使用できる。エレベータ着床プレート支持装置のその他の構成は図４〜６に示すものと同様である。
【００３６】
実施の形態５．
図１０に示すエレベータ着床プレート支持装置においては、押圧手段が、軸部材１０の軸端部９に設けられて互いに吸引し合う永久磁石２５である。図示の例では一対の永久磁石２５がそれぞれの軸端部９に対して設けられているが、永久磁石２５の対をいずれか一方の軸端部９にだけ設けることもできるし、ただ一個の永久磁石によって押圧手段を構成することもできる。エレベータ着床プレート支持装置のその他の構成は図４〜６に示すものと同様である。
【図面の簡単な説明】
【００３７】
【図１】この発明のエレベータ着床プレート支持装置の実施の形態１を正常位置で示す概略頂面図である。
【図２】図１のエレベータ着床プレート支持装置の概略平面展開図である。
【図３】図１のエレベータ着床プレート支持装置を作動位置で示す概略頂面図である。
【図４】この発明のエレベータ着床プレート支持装置の別の実施の形態を示す概略平面図である。
【図５】図４のエレベータ着床プレート支持装置の軸部材を示す概略平面図である。
【図６】図４のエレベータ着床プレート支持装置のカム面を示す概略斜視図である。
【図７】この発明のエレベータ着床プレート支持装置の更に別の実施の形態を示す概略平面図である。
【図８】図７のエレベータ着床プレート支持装置の軸部材を示す概略平面図である。
【図９】この発明のエレベータ着床プレート支持装置のなお別の実施の形態を示す概略平面図である。
【図１０】この発明のエレベータ着床プレート支持装置の更に別の実施の形態を示す概略平面図である。
【符号の説明】
【００３８】
２  着床装置、５  エレベータ着床プレート支持装置、６  着床プレート、８  軸心、９  軸端部、１０  軸部材、１１  空間部分、１２  受金部材、１３、２２  筒状部分、１５、２０  カム面、１６、２１、２３  押圧面、１７  弾性的保持手段、１８  谷部、１９  山部、２４  弾性体、２５  永久磁石。
【図１】
0004854640.tif 000002
【図２】
0004854640.tif 000003
【図３】
0004854640.tif 000004
【図４】
0004854640.tif 000005
【図５】
0004854640.tif 000006
【図６】
0004854640.tif 000007
【図７】
0004854640.tif 000008
【図８】
0004854640.tif 000009
【図９】
0004854640.tif 000010
【図１０】
0004854640.tif 000011